(57)【要約】【課題】作業者が筒身に入ることなく、簡易に煙突内落下物防護体を筒身内に設置する。【解決手段】煙突２の筒身３内の落下物を受け止める防護体１０を筒身３に設置する、煙突内落下物防護体設置装置１であって、エアの供給により膨らんで筒身３の内壁に密着する防護体１０と、筒身３に連通して形成されている煙道５から筒身３に向けて挿入されるガイドレール３１と、防護体１０を載置してガイドレール３１上を移動するパレット３２と、を有する。【選択図】図１
2014136893.tif 000002
【特許請求の範囲】
【請求項１】
煙突の筒身内の落下物を受け止める防護体を前記筒身に設置する、煙突内落下物防護体設置装置であって、
エアの供給により膨らんで前記筒身の内壁に密着する防護体と、
前記筒身に連通して形成されている煙道から前記筒身に向けて挿入されるガイドレールと、
前記防護体を載置して前記ガイドレール上を移動するパレットと、を有することを特徴とする、煙突内落下物防護体設置装置。
【請求項２】
前記パレットは、側部を幅方向に折り曲げ可能であることを特徴とする、請求項１に記載の煙突内落下物防護体設置装置。
【請求項３】
請求項１に記載の煙突内落下物防護体設置装置を用いて防護体を前記筒身に設置する、煙突内落下物防護体設置方法であって、
前記筒身の、煙道に対向する側壁に、ガイドレールの受け部材を設け、
前記煙道から前記筒身に向けて前記ガイドレールを挿入し、前記受け部材に前記ガイドレールの先端を支持させ、
前記パレットを前記ガイドレール上に配置し、前記煙道内で、前記パレットに、エアを抜いて萎んだ状態の防護体を載置した後、
前記パレットを前記筒身内に移動させて、前記防護体にエアを供給することを特徴とする、煙突内落下物防護体設置方法。
【請求項４】
前記パレットは、側部を幅方向に折り曲げ可能であり、前記パレットが前記ガイドレール上を移動するときには前記側部を折り曲げ、前記パレットが前記筒身の水平断面方向中央に到達したときに、前記側部を広げて、その後、前記防護体にエアを供給することを特徴とする、請求項３に記載の煙突内落下物防護体設置方法。
【請求項５】
前記筒身の外側から、前記煙道に対向する前記筒身の側壁に、前記ガイドレールが貫通可能な孔を穿孔し、前記孔の外側に前記受け部材を取り付けることを特徴とする、請求項３または４に記載の煙突内落下物防護体設置方法。
【発明の詳細な説明】
【技術分野】
【０００１】
本発明は、ガス排気等を行う煙突の筒身内で各種作業を行う際に、剥離した耐火材等の落下物から作業者を防護するために設置される煙突内落下物防護体を、筒身内に設置するための、煙突内落下物防護体設置装置、及びそれを用いた煙突内落下物防護体設置方法に関するものである。
【背景技術】
【０００２】
ガス排気等を行う煙突内部の清掃や点検、補修等の作業を行う際には、作業者を乗せて煙突内を上下移動する作業用ゴンドラが、煙突の内部に仮設される。このゴンドラの組み立て作業は、構成部材を、煙突の下方側面にあるマンホールから煙突内部に搬入して行われる。
【０００３】
ところが、煙突の内壁に施工されている耐火材は、劣化により剥離しやすくなっており、剥離した耐火材等の落下物から作業者を防護するために、ゴンドラの組み立て前に、落下物から作業者を防護する防護体を設けることが必要である。
【０００４】
従来、煙突の筒身の水平断面形状に沿って形成された金属板を、煙道から筒身内に搬入し、その金属板で作業空間の上部を覆って落下物から防護することがあった。ところが、金属板の場合、筒身の水平断面形状に合わせたサイズのものを搬入し、作業員が筒身内で作業することなく筒身の内壁に密着させることは困難である。
【０００５】
特許文献１には、伸縮用バルーンと屋根用バルーンとからなる煙突内作業用防護装置が記載されている。この防護装置は、先ず、伸縮用バルーンおよび屋根用バルーンを、エアを抜いた状態で煙突の筒身内に搬入し、伸縮用バルーンにエアを供給して屋根用バルーンを所定高さに持ち上げ、その後屋根用バルーンにエアを供給し、屋根用バルーンを筒身内に内接させて屋根を形成する。その後、伸縮用バルーンのエアを抜いて伸縮用バルーンを屋根バルーンの下面まで引き上げると、屋根用バルーンの下方に空間が形成され、この空間で作業用ゴンドラの組み立て等の作業が行われる。各バルーンへのエアの供給または抜き取りは、筒身の外部からの作業で行うことができる。
【先行技術文献】
【特許文献】
【０００６】
【特許文献１】実開平３−９３５６１号公報
【発明の概要】
【発明が解決しようとする課題】
【０００７】
しかしながら、特許文献１に記載された煙突内作業用防護装置の場合、伸縮用バルーンと屋根用バルーンを筒身内に搬入する際には、作業者が筒身内に入る必要があり、時間と労力を要していた。
【０００８】
本発明の目的は、作業者が筒身に入ることなく、簡易に煙突内落下物防護体を筒身内に設置できる煙突内落下物防護体設置装置、及びそれを用いた煙突内落下物防護体設置方法を提供することにある。
【課題を解決するための手段】
【０００９】
上記問題を解決するため、本発明は、煙突の筒身内の落下物を受け止める防護体を前記筒身に設置する、煙突内落下物防護体設置装置であって、エアの供給により膨らんで前記筒身の内壁に密着する防護体と、前記筒身に連通して形成されている煙道から前記筒身に向けて挿入されるガイドレールと、前記防護体を載置して前記ガイドレール上を移動するパレットと、を有することを特徴とする、煙突内落下物防護体設置装置を提供する。
【００１０】
前記煙突内落下物防護体搬入装置において、前記パレットは、側部を幅方向に折り曲げ可能であることが好ましい。
【００１１】
また、本発明は、前記煙突内落下物防護体搬入装置を用いて防護体を前記筒身に設置する、煙突内落下物防護体設置方法であって、前記筒身の、煙道に対向する側壁に、ガイドレールの受け部材を設け、前記煙道から前記筒身に向けて前記ガイドレールを挿入し、前記受け部材に前記ガイドレールの先端を支持させ、前記パレットを前記ガイドレール上に配置し、前記煙道内で、前記パレットに、エアを抜いて萎んだ状態の防護体を載置した後、前記パレットを前記筒身内に移動させて、前記防護体にエアを供給することを特徴とする、煙突内落下物防護体設置方法を提供する。
【００１２】
前記煙突内落下物防護体搬入方法において、前記パレットは、側部を幅方向に折り曲げ可能であり、前記パレットが前記ガイドレール上を移動するときには前記側部を折り曲げ、前記パレットが前記筒身の水平断面方向中央に到達したときに、前記側部を広げて、その後、前記防護体にエアを供給することが好ましい。また、前記筒身の外側から、前記煙道に対向する前記筒身の側壁に、前記ガイドレールが貫通可能な孔を穿孔し、前記孔の外側に前記受け部材を取り付けてもよい。
【発明の効果】
【００１３】
本発明によれば、作業者が煙突の筒身内部に入らなくても、簡易に落下物防護体を設置できる。
【図面の簡単な説明】
【００１４】
【図１】本発明にかかる煙突内落下物防護体設置装置を用いた煙突内部の概要を示す断面図である。
【図２】図１の煙突内落下物防護体設置装置のパレットの一例を示す斜視図である。
【図３】本発明にかかる煙突内落下物防護体設置方法の最初の手順を説明する図であり、（ａ）は図１の筒身３内を上部から見た横断面図、（ｂ）は（ａ）のＡ−Ａ方向から見た縦断面図である。
【図４】図３に続く手順を説明する図であり、（ａ）は図１の筒身３内を上部から見た横断面図、（ｂ）は（ａ）のＡ−Ａ方向から見た縦断面図である。
【図５】図４に続く手順を説明する図であり、（ａ）は図１の筒身３内を上部から見た横断面図、（ｂ）は（ａ）のＡ−Ａ方向から見た縦断面図である。
【発明を実施するための形態】
【００１５】
以下、本発明の実施の形態を、図に基づいて説明する。図１は、煙突内落下物防護体設置装置１により防護体１０を設置した煙突２の内部を示している。煙突２は、地面に対して垂直に延びる筒身３を有している。筒身３は、水平方向の断面形状が円形であり、内径は例えば４〜６ｍ程度である。筒身３の内壁には耐火材４が施工され、筒身３の中間部に、略水平に延びる煙道５が、筒身３に連通して形成されている。さらに筒身３の下部側面には、マンホール６が設けられている。
【００１６】
煙突内の清掃や耐火材４のメンテナンス等の作業を行う際には、筒身３内に、作業用ゴンドラ８が設置される。ゴンドラ８は、作業者９を乗せて筒身３内を上下移動することができる。ゴンドラ８を構成する資材は、下部のマンホール６から搬入され、作業者９によって、筒身３内で組み立てられる。
【００１７】
かかる場合、ゴンドラ８の組み立て作業に先立って、ゴンドラ８を組み立てる作業者９を、劣化した耐火物等の落下物から防護するために、煙突内落下物防護体１０が筒身３内に設置される。
【００１８】
本実施形態では、防護体１０は、中央に穴１１ａの開いた環状のバルーン１１と、バルーン１１の上面に取り付けられた防護シート１２とで構成される。バルーン１１には、バルーン１１にエアを供給するエア供給手段２１と、バルーン１１内のエアを抜き取る排気手段２２とが接続される。バルーン１１は、エアを抜いた状態では略平坦で折りたたむことができ、エアを供給すると、中央に穴部１１ａを有する環状（ドーナツ形状）に膨らむ。
【００１９】
バルーン１１は、例えばバルーン１１の側方に連結されたチューブ２３およびチューブ２３の途中に設けられた切換弁２４を介して、エア供給手段２１および排気手段２２に接続される。エア供給手段２１は、例えばコンプレッサであり、排気手段２２は、例えば排気ポンプである。これらにより、バルーン１１へのエアの供給および抜き取りが行われる。
【００２０】
防護シート１２は、バルーン１１の穴部１１ａを塞ぐように、バルーン１１の上面を覆って取り付けられる。防護シート１２は、例えばバルーン１１の外周部に設けたペケット等に紐で結びつけて固定する。なお、防護シート１２は、バルーン１１の上面に限らず、下面に取り付けても良いし、上面および下面の両方に取り付けてもよい。また、防護シート１２は、複数枚に分割したものを継ぎ合わせて取り付けてもよい。材質としては、例えば、落下物の衝撃を吸収する低反発クッション材等が用いられる。
【００２１】
本発明は、上記のような防護体１０を筒身３内に設置するものであり、防護体１０と、２本の平行なレール３１ａ、３１ｂを有するガイドレール３１と、パレット３２とを有している。ガイドレール３１は、図１に示すように煙道５から筒身３に略水平方向に挿入され、レール３１ａ、３１ｂの各先端が、煙道５の対向側の筒身３側壁に取り付けられた受け部材３３、３３に支持される。図２はパレット３２の一例であり、下部にローラ３４を備え、ガイドレール３１上を往復移動可能である。また、パレット３２は、ガイドレール３１に沿った移動方向に対して垂直な幅方向の両方の側部３５、３５を、例えば図２に示すように垂直上方に折り曲げることができる。そして、図２の二点鎖線で示すように側部３５、３５を幅方向外側へ広げると、パレット３２の上面全体が平坦になる。パレット３２が煙道５の出口を通過して筒身３へ入る際には、側部３５、３５を折り曲げて幅寸法を小さくし、パレット３２が筒身３の中央に到達すると、上面が平坦になるように側部３５、３５を広げる。このような側部３５、３５の動作は、例えばエアシリンダ（図示せず）により制御される。
【００２２】
次に、図３〜図５にしたがって、煙突内落下物防護体の設置装置１を用いた防護体１０の設置方法の手順を説明する。
【００２３】
先ず、資材の出入口として、煙道５内に作業用足場を仮設する。また、筒身３の外側から、煙道５に対して水平方向における対向側の、筒身３の側壁に、ガイドレール３１が貫通可能な孔３６を穿孔し、孔３６の外側に、ガイドレール３１のレール３１ａ、３１ｂの先端を係止させる受け部材３３、３３を取り付ける。なお、新規に煙突を建設する際には、予め筒身３の側壁の内側に受け部材３３を取り付けておいてもよい。
【００２４】
次に、図３に示すように、煙道５から筒身３に向けてガイドレール３１を挿入し、ガイドレール３１のレール３１ａ、３１ｂの各先端を孔３６、３６に通して受け部材３３に支持させる。ガイドレール３１が筒身３内に架設された後、煙道５内で、ガイドレール３１上にパレット３２を配置する。パレット３２の両方の側部３５、３５は垂直上方へ折り曲げた状態とし、そのパレット３２上に、エアを抜いて折り畳んだバルーン１１を載置する。バルーン１１には、防護シート１２を予め取り付けておく。さらに、バルーン１１に、チューブ２３の一端を連結し、チューブ２３の他端側は、切換弁２４を介して、煙道５の外部に設置したエア供給手段２１および排気手段２２に接続する（図１参照）。
【００２５】
その後、図４に示すようにパレット３２をガイドレール３１に沿って移動させ、筒身３の水平断面方向の中央に到達させると、図５に示すように、パレット３３の側部３５、３５を倒して水平に広げる。側部３５、３５が広げられてパレット３２の上面全体が平坦になると、エア供給手段２１からチューブ２３を介してバルーン１１にエアを供給する。エアの供給により、バルーン１１が環状に膨張し、防護シート１２がバルーン１１の上面を覆う。バルーン１１の外周が筒身３の内壁に密着したところで、エアの供給を停止する。
【００２６】
バルーン１１にエアが十分に供給され、バルーン１１の外周が筒身３の内壁に押し付けられると、エアの圧力によってバルーン１１が筒身３の内壁に密着する。これによって、バルーン１１および防護シート１２が落下物を堰き止めて、下方の作業者９等を落下物から防護する。
【００２７】
こうして防護体１０が設置された後、作業用ゴンドラ８を構成する資材を、下部のマンホール６から筒身３内へ搬入して、ゴンドラ８を組み立てる。この間、ゴンドラ８を組み立てる作業スペースの上方に防護体１０が設置されているので、耐火材４等が剥離して落下しても、ゴンドラ８を組み立てる作業者９の安全を確保できる。
【００２８】
ゴンドラ８には、落下物を受け止める屋根８ａが設けられているので、ゴンドラ８の組み立てが終了したら、防護体１０は撤去される。すなわち、切替弁２４を排気側にし、排気手段２２によりチューブ２３を介してバルーン１１内のエアを抜き取る。そして、バルーン１１が十分に萎んだ状態で、パレット３２の側部３５、３５を、再び垂直上方へ折り曲げ、パレット３２をガイドレール３１に沿って煙道５内へ移動させる。そして、バルーン１１およびパレット３２をガイドレール３１から取り外し、さらにガイドレール３１のレール３１ａ、３１ｂの各先端を受け部材３３、３３から外して、ガイドレール３１を煙道５側へ引き戻し、筒身３から撤去する。その後、ゴンドラ８を昇降させて、煙突２内の清掃や、耐火材４の点検および補修等を行う。
【００２９】
以上のように、本実施の形態によれば、煙突内落下物防護体１０の設置に際し、作業者が筒身３の内部に入る必要がなく、簡易且つ安全に作業が行える。また、ガイドレール３１の先端を、筒身３の外部から穿孔した孔３６およびその外側に取り付けた受け部材３３に係止させることにより、既存の煙突でも、作業者が筒身内に入ることなく、防護体１０を搬入できる。
【００３０】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００３１】
例えば、防護体のバルーンの形状は環状には限らず、例えば従来用いられてきた円筒状のバルーンでもよく、折り畳んだ状態で筒身内に搬入し、筒身の外側からの操作により、筒身の内壁に密着する形状に成形できるものであればよい。
【産業上の利用可能性】
【００３２】
本発明は、筒状構造物の下部で作業を行う作業者を落下物から保護する防護体の搬入および設置に適用できる。
【符号の説明】
【００３３】
１    煙突内落下物防護体設置装置
２    煙突
３    筒身
４    耐火材
５    煙道
８    ゴンドラ
９    作業者
１０  防護体
１１  バルーン
１２  防護シート
３１  ガイドレール
３２  パレット
３３  受け部材
３４  ローラ
３５  側部
３６  孔
【図１】
2014136893.tif 000003
【図２】
2014136893.tif 000004
【図３】
2014136893.tif 000005
【図４】
2014136893.tif 000006
【図５】
2014136893.tif 000007